(57)【要約】【課題】ＮＦＣ通信を利用した機器の設定をより効率的に行うことができるゲートウェイおよび機器設定システムを提供することを目的とする。【解決手段】  ゲートウェイ１は、ＮＦＣ通信により携帯端末装置２から受信した情報に基づいてネットワークを介してフィールド機器３の設定を行うゲートウェイ１であり、携帯端末装置２からの接続要求に応じてＮＦＣ通信を確立するＮＦＣ機能部１０と、携帯端末装置２より送出された、フィールド機器３を識別する機器識別情報と、機器識別情報に関連付けられた、フィールド機器３を制御するための設定情報とを受け付ける設定情報受け付け部１１と、受け付けられた機器識別情報と設定情報とを互いに関連付けて記憶する設定情報記憶部１２と、設定情報記憶部１２に記憶された機器識別情報に関連付けられた設定情報を、その機器識別情報で特定されるフィールド機器３に設定する設定部１４とを備える。【選択図】  図１
2019096981.tif 000002
【特許請求の範囲】
【請求項１】
近距離無線通信により携帯端末装置から受信した情報に基づいてネットワークを介して機器の設定を行うゲートウェイであって、
前記携帯端末装置からの接続要求に応じて近距離無線通信を確立するＮＦＣ機能部と、
前記携帯端末装置より送出された、前記機器を識別する機器識別情報と、前記機器識別情報に関連付けられた、前記機器を制御するための設定情報とを受け付ける設定情報受け付け部と、
受け付けられた前記機器識別情報と前記設定情報とを互いに関連付けて記憶する記憶部と、
前記記憶部に記憶された前記機器識別情報に関連付けられた前記設定情報を、前記機器識別情報で特定される機器に設定する設定部と、
を備えることを特徴とするゲートウェイ。
【請求項２】
請求項１に記載のゲートウェイにおいて、
前記機器の電源が起動したことを検出する電源検出部をさらに備え、
前記設定部は、前記電源検出部によって前記機器の電源が起動したことが検出された場合に、前記機器識別情報に関連付けられた前記設定情報を、前記機器識別情報で特定される機器に設定する
ことを特徴とするゲートウェイ。
【請求項３】
携帯端末装置と、ネットワークを介して機器と接続されるゲートウェイとを備える機器設定システムであって、
前記携帯端末装置は、
前記機器識別情報と前記機器識別情報に関連付けられた前記設定情報とを入力する設定情報入力部と、
前記ゲートウェイに接続要求を送出して近距離無線通信を確立する携帯端末側ＮＦＣ機能部と、
前記機器識別情報に関連付けられた前記設定情報を送出する設定情報送出部と、
を備え、
前記ゲートウェイは、請求項１または請求項２に記載のゲートウェイである
ことを特徴とする機器設定システム。
【発明の詳細な説明】
【技術分野】
【０００１】
本発明は、ゲートウェイおよび機器設定システムに関し、特に近距離無線通信を利用して機器の設定を行う技術に関する。
【背景技術】
【０００２】
近年、スマートフォンなどの携帯端末装置の普及により、様々な電子機器が近距離無線通信（ＮＦＣ：Ｎｅａｒ  Ｆｉｅｌｄ  Ｃｏｍｍｕｎｉｃａｔｉｏｎ）機能を搭載するようになっている。
【０００３】
このようなＮＦＣ機能を搭載した携帯端末装置を用いて、ＮＦＣ機能を搭載した機器とのデータ通信が行われている。例えば、特許文献１は、空調制御システムや産業用制御システムで使用されるコントローラ等の機器にＮＦＣ機能を搭載することで、携帯端末装置と機器間でＮＦＣ通信を行い、機器が無給電状態であっても、機器のパラメータの設定を可能とする技術を開示している。特許文献１に記載の技術では、空調制御システムや産業用制御システムの電源設備が稼働する前に、現場作業としての機器の設定を行うことができるため、システムの制御を効率化できる。
【先行技術文献】
【特許文献】
【０００４】
【特許文献１】特開２０１７−１４３３２７号公報
【発明の概要】
【発明が解決しようとする課題】
【０００５】
しかし、特許文献１に記載の技術では、近距離無線通信であるＮＦＣを利用するため、スマートフォンなどの携帯端末装置をコントローラ等の機器の傍で操作して、機器の設定を行わなければならない。一般に空調制御システムや産業用制御システムでは、コントローラ等の機器が現場内に大量に配置されている。そのため、携帯端末装置を用いて機器の設定を行う場合には、各機器の設置位置まで移動する必要があり、その移動に要する時間が問題となる。また、機器が高所や危険な場所に取り付けられている場合もあり、そのような場合には、機器の傍で設定操作ができないこともある。
【０００６】
本発明は、上述した課題を解決するためになされたものであり、ＮＦＣ通信を利用した機器の設定をより効率的に行うことができるゲートウェイおよび機器設定システムを提供することを目的とする。
【課題を解決するための手段】
【０００７】
上述した課題を解決するために、本発明に係るゲートウェイは、近距離無線通信により携帯端末装置から受信した情報に基づいてネットワークを介して機器の設定を行うゲートウェイであって、前記携帯端末装置からの接続要求に応じて近距離無線通信を確立するＮＦＣ機能部と、前記携帯端末装置より送出された、前記機器を識別する機器識別情報と、前記機器識別情報に関連付けられた、前記機器を制御するための設定情報とを受け付ける設定情報受け付け部と、受け付けられた前記機器識別情報と前記設定情報とを互いに関連付けて記憶する記憶部と、前記記憶部に記憶された前記機器識別情報に関連付けられた前記設定情報を、前記機器識別情報で特定される機器に設定する設定部と、を備えることを特徴とする。
【０００８】
また、本発明に係るゲートウェイにおいて、前記機器の電源が起動したことを検出する電源検出部をさらに備え、前記設定部は、前記電源検出部によって前記機器の電源が起動したことが検出された場合に、前記機器識別情報に関連付けられた前記設定情報を、前記機器識別情報で特定される機器に設定してもよい。
【０００９】
また、本発明に係る機器設定システムは、携帯端末装置と、ネットワークを介して機器と接続されるゲートウェイとを備える機器設定システムであって、前記携帯端末装置は、
前記機器識別情報と前記機器識別情報に関連付けられた前記設定情報とを入力する設定情報入力部と、前記ゲートウェイに接続要求を送出して近距離無線通信を確立する携帯端末側ＮＦＣ機能部と、前記機器識別情報に関連付けられた前記設定情報を送出する設定情報送出部とを備え、前記ゲートウェイは、上述したゲートウェイであることを特徴とする。
【発明の効果】
【００１０】
本発明によれば、ゲートウェイと携帯端末装置とがＮＦＣ通信を行い、ゲートウェイは携帯端末装置から受け付けた、機器を識別する機器識別情報と、機器識別情報に関連付けられた、機器を制御するための設定情報とに基づいて、機器の設定を行うので、ＮＦＣ通信を利用したより効率的な機器の設定が実現される。
【図面の簡単な説明】
【００１１】
【図１】図１は、本発明の実施の形態に係るゲートウェイを含む機器設定システムの構成を示すブロック図である。
【図２】図２は、本発明の実施の形態に係るゲートウェイのハードウェア構成を示すブロック図である。
【図３】図３は、本発明の実施の形態に係るゲートウェイの動作を説明するフローチャートである。
【発明を実施するための形態】
【００１２】
以下、本発明の好適な実施の形態について、図１から図３を参照して詳細に説明する。各図について共通する構成要素には、同一の符号が付されている。
【００１３】
［実施の形態］
図１は、本発明の実施の形態に係るゲートウェイ１を含む機器設定システム１Ａの構成を示すブロック図である。
【００１４】
図１に示すように、本発明の実施の形態に係る機器設定システム１Ａは、ゲートウェイ１と、携帯端末装置２とを備え、複数のフィールド機器３の設定を行う。携帯端末装置２はＮＦＣ通信を行って、フィールド機器３を設定するための設定情報をゲートウェイ１に送出する。ゲートウェイ１は、携帯端末装置２とのＮＦＣ通信により携帯端末装置２から受け付けた設定情報に基づいて、複数のフィールド機器３の設定を行う。
【００１５】
ゲートウェイ１は、伝送路Ｌ（ネットワーク）を介してコントローラ等のフィールド機器３と接続している。ゲートウェイ１は、ＮＦＣ機能部１０、設定情報受け付け部１１、設定情報記憶部１２、電源検出部１３、および設定部１４を備える。
【００１６】
ＮＦＣ機能部１０は、よく知られた近距離無線通信（Ｎｅａｒ  Ｆｉｅｌｄ  Ｃｏｍｍｕｎｉｃａｔｉｏｎ：ＮＦＣ）を行う。ＮＦＣ機能部１０は、携帯端末装置２からの接続要求に応じてＮＦＣ通信を確立する。ＮＦＣ機能部１０は、例えば、図示しないＮＦＣコントローラ、ＮＦＣアンテナ、不揮発メモリなどを備えたＮＦＣタグにより実現される。
【００１７】
設定情報受け付け部１１は、携帯端末装置２より送出されたフィールド機器３を識別する機器識別情報と、機器識別情報に関連付けられたフィールド機器３を制御するための設定情報とを受け付ける。機器識別情報は、例えば、フィールド機器３のＩＰアドレスなどのアドレス情報が用いられる。また、設定情報は、例えば、フィールド機器３におけるパラメータ値の設定や変更などを示す情報である。
【００１８】
設定情報記憶部１２は、設定情報受け付け部１１によって受け付けられた機器識別情報と、機器識別情報に関連付けられた設定情報とを記憶する。より詳細には、設定情報記憶部１２には、フィールド機器３ごとの設定情報が記憶されている。
【００１９】
電源検出部１３は、フィールド機器３の電源が起動したことを検出する。より詳細には、電源検出部１３は、フィールド機器３の電源を監視し、伝送路Ｌを介してゲートウェイ１と接続されている複数のフィールド機器３のうち設定情報受け付け部１１によって設定情報が受け付けられたフィールド機器３の電源が起動すると、後述する設定部１４に検出信号を出力する。
【００２０】
設定部１４は、設定情報記憶部１２に記憶された、機器識別情報と関連付けられた設定情報を、その機器識別情報で特定されるフィールド機器３に設定する。より具体的には、設定部１４は、電源検出部１３から、フィールド機器３の電源が起動したことを示す検出信号が入力されると、設定情報記憶部１２に記憶されている各フィールド機器３のアドレス情報と、そのアドレス情報に関連付けられているパラメータ値を読み出す。そして、設定部１４は、読み出したアドレス情報で特定されるフィールド機器３に、伝送路Ｌを介してパラメータ値を書き込む。
【００２１】
なお、設定部１４は、シリアル通信によりフィールド機器３に設定情報を送信してもよい。また、設定部１４は、ＩＰ伝送路により構成される伝送路Ｌを介して、設定情報を示すＩＰパケットをフィールド機器３に送信してもよい。
【００２２】
次に、携帯端末装置２の構成について説明する。
携帯端末装置２は、ＮＦＣ機能部２０（携帯端末側ＮＦＣ機能部）と、設定情報入力部２１と、設定情報送出部２２とを備える。携帯端末装置２は、例えば、スマートフォンやタブレット端末などの携帯端末により実現される。
【００２３】
ＮＦＣ機能部２０は、ＮＦＣ通信を行う。ＮＦＣ機能部２０は、ゲートウェイ１のＮＦＣ機能部１０にＮＦＣ通信の接続要求を送出し、ＮＦＣ接続を確立する。ＮＦＣ機能部２０は、図示しないＮＦＣコントローラ、およびＮＦＣアンテナなどを有するＮＦＣリーダライタにより実現される。
【００２４】
設定情報入力部２１は、フィールド機器３を識別する機器識別情報と、そのフィールド機器３に対する設定情報とを関連付けて入力する。より具体的には、携帯端末装置２は、図示しないタッチパネルなどの入力手段を有し、入力手段を介してユーザからの機器識別情報と設定情報とを受け付ける。例えば、ユーザによって、タッチパネルに表示された選択画面などから、複数のフィールド機器３のうちのいずれかが選択される。さらに、そのフィールド機器３の選択と同時に、またはその直後に、ユーザによって所定のパラメータ値などの設定情報が選択される。すると、設定情報入力部２１は、ユーザによって選択されたフィールド機器３を識別する機器識別情報と、対応する設定情報とを関連付けて入力する。
【００２５】
設定情報送出部２２は、設定情報入力部２１に入力された、機器識別情報と、機器識別情報に関連付けられた設定情報とを、ＮＦＣ通信によりゲートウェイ１に送出する。
【００２６】
［ゲートウェイのハードウェア構成］
次に、ゲートウェイ１のハードウェア構成について図２を参照して説明する。図２に示すように、ゲートウェイ１００は、バス１０１を介して接続される制御部１０２、通信制御装置１０５、記憶装置１０６、およびアンテナ１０７を備えるコンピュータと、これらのハードウェア資源を制御するプログラムによって実現することができる。
【００２７】
制御部１０２は、ＣＰＵ１０３と主記憶部１０４とを備えている。主記憶部１０４には、ＣＰＵ１０３が各種制御や演算を行うためのプログラムが予め格納されている。制御部１０２によって、図１で示した設定部１４などのゲートウェイ１の機能が実現される。
【００２８】
通信制御装置１０５は、各種機器を接続するための入出力インターフェースであり、ゲートウェイ１００と各種外部電子機器との間をネットワーク接続するための制御装置である。通信制御装置１０５によって、図１で示したＮＦＣ機能部１０の機能が実現される。
【００２９】
記憶装置１０６は、読み書き可能な記憶媒体と、その記憶媒体に対してプログラムやデータなどの各種情報を読み書きするための駆動装置とで構成されている。記憶装置１０６には、記憶媒体としてハードディスクや半導体メモリを使用することができる。記憶装置１０６は、機器情報記憶部１０６ａ、設定情報記憶部１０６ｂ、プログラム格納部１０６ｃ、図示しないその他の格納装置で、例えば、この記憶装置１０６内に格納されているプログラムやデータなどをバックアップするための格納装置などを有することができる。
【００３０】
機器情報記憶部１０６ａには、フィールド機器３に固有の物理アドレスなどの識別情報が記憶されている。
設定情報記憶部１０６ｂは、図１の設定情報記憶部１２に対応する。
【００３１】
プログラム格納部１０６ｃには、本実施の形態におけるＮＦＣ通信、電源検出処理や、設定処理などのフィールド機器３の設定を行うために必要な処理を実行するための各種プログラムが格納されている。
アンテナ１０７は、ＮＦＣ通信に対応したアンテナである。
【００３２】
［ゲートウェイの動作］
上述した構成を有するゲートウェイ１の動作について、図４のフローチャートを参照して説明する。まず、携帯端末装置２において、ユーザの操作に基づいて、機器識別情報と設定情報とが入力される。携帯端末装置２が、ＮＦＣ通信の対象範囲内、例えば、ゲートウェイ１から１０ｃｍなどの範囲に移動すると、ゲートウェイ１のＮＦＣ機能部１０は、携帯端末装置２のＮＦＣ機能部２０から接続要求を受信する（ステップＳ１）。
【００３３】
次に、ＮＦＣ機能部１０は、携帯端末装置２との接続を確立する（ステップＳ２）。ＮＦＣ接続が確立することにより、携帯端末装置２とゲートウェイ１とはＮＦＣ通信によるデータのやり取りが可能となる。
【００３４】
次に、設定情報受け付け部１１は、携帯端末装置２の設定情報入力部２１に入力され、設定情報送出部２２によって送出された、フィールド機器３の機器識別情報と、機器識別情報に関連付けられた、フィールド機器３に対する設定情報とを受け付ける（ステップＳ３）。
【００３５】
その後、設定情報受け付け部１１は、フィールド機器３の機器識別情報と設定情報とを関連付けて設定情報記憶部１２に記憶する（ステップＳ１２）。次に、電源検出部１３は、伝送路Ｌを介してゲートウェイ１に複数接続されているフィールド機器３のうち設定情報受け付け部１１によって設定情報が受け付けられたフィールド機器３の電源が起動したことを検出すると（ステップＳ５：ＹＥＳ）、検出信号を出力する（ステップＳ６）。なお、電源検出部１３によって出力された検出信号は、設定部１４に入力される。
【００３６】
一方、電源検出部１３が、複数設置されているフィールド機器３のうち設定情報受け付け部１１によって設定情報が受け付けられたフィールド機器３の電源が起動したことを検出しない場合には（ステップＳ５：ＮＯ）、設定部１４は、対象となるフィールド機器３の電源の起動が検出されるまで待機する。
【００３７】
なお、電源検出部１３によってフィールド機器３の電源の起動が検出されるまでに、ステップＳ１からステップＳ４までの処理が繰り返して実行されてもよい。例えば、設定情報が未登録のフィールド機器３が存在する場合には、設定情報記憶部１２は、すでに設定情報が記憶されているフィールド機器３に加えて、設定情報が未登録のフィールド機器３の機器識別情報と設定情報とを関連付けて記憶してもよい。
【００３８】
また、この場合において、設定情報受け付け部１１が、再びステップＳ３で、すでに設定情報が記憶されているフィールド機器３の設定情報を再度受け付けた場合には、設定情報記憶部１２には、最新の設定情報が上書きされて記憶される構成を採用してもよい。
【００３９】
次に、設定部１４は、電源検出部１３からフィールド機器３の電源の起動を示す検出信号の入力があると、設定情報記憶部１２に記憶されている、機器識別情報に関連付けられている設定情報を、その機器識別情報で特定されるフィールド機器３に設定する（ステップＳ７）。
【００４０】
より詳細には、設定部１４は、シリアル通信により伝送路Ｌを介してそれぞれのフィールド機器３のパラメータ値などの設定情報を書き込む。
【００４１】
以上説明したように、本実施の形態によれば、ゲートウェイ１が携帯端末装置２とＮＦＣ通信を行い、機器識別情報に関連付けられたフィールド機器３の設定情報を受け付ける。ゲートウェイ１は、受け付けた機器識別情報に関連付けられた設定情報に基づいて、フィールド機器３を特定してそれぞれのフィールド機器３の設定を行う。これにより、ゲートウェイ１は、ＮＦＣ通信を利用して、より効率的に複数のフィールド機器３の設定を行うことができる。
【００４２】
以上、本発明のゲートウェイおよび機器設定システムにおける実施の形態について説明したが、本発明は説明した実施の形態に限定されるものではなく、請求項に記載した発明の範囲において当業者が想定し得る各種の変形を行うことが可能である。
【符号の説明】
【００４３】
１、１００…ゲートウェイ、１Ａ…機器設定システム、２…携帯端末装置、３…フィールド機器、１０…ＮＦＣ機能部、１１…設定情報受け付け部、１２、１０６ｂ…設定情報記憶部、１３…電源検出部、１４…設定部、２０…ＮＦＣ機能部（携帯端末側ＮＦＣ機能部）、２１…設定情報入力部、２２…設定情報送出部、１０１…バス、１０２…制御部、１０３…ＣＰＵ、１０４…主記憶部、１０５…通信制御装置、１０６…記憶装置、１０６ａ…機器情報記憶部、１０６ｃ…プログラム格納部、１０７…アンテナ。
【図１】
2019096981.tif 000003
【図２】
2019096981.tif 000004
【図３】
2019096981.tif 000005